(57)【要約】  光治療装置は、被検体に光治療を提供するように構成される。光治療は、予め決められた光治療アルゴリズムに従って、光治療装置によって被検体の顔面に放出される電磁放射線の形で、被検体に供給される。光治療装置は、被検体による使用を容易にするフォームファクタを有するように構成される。より具体的には、光治療装置のフォームファクタは、被検体が覚醒している間及び／又は眠っている間、光治療装置が個別的に及び快適に使用されることを可能にする。
2012517311.tif 000002
【特許請求の範囲】
【請求項１】
被検体に光治療を提供する光治療装置であって、
被検体の目を少なくとも部分的に囲み、電磁放射線を放出する１又は複数の照明モジュールと、
被検体の目を囲む適当な位置に前記１又は複数の照明モジュールを保持するための１又は複数の接着性表面と、
を有する装置。
【請求項２】
前記１又は複数の照明モジュールと電子的に通信する基部を更に有する、請求項１に記載の装置。
【請求項３】
前記基部内に収容されるプロセッサを更に有し、前記プロセッサは、予め決められた光治療アルゴリズムに従って、前記１又は複数の照明モジュールによる電磁放射線の放出を制御する、請求項２に記載の装置。
【請求項４】
前記予め決められた光治療アルゴリズムの１又は複数の態様に関する情報を被検体に伝えるユーザインタフェースを更に有する、請求項３に記載の装置。
【請求項５】
前記ユーザインタフェースが、前記１又は複数の照明モジュールの１つの少なくとも一部分を含む、請求項４に記載の装置。
【請求項６】
被検体に光治療を提供する方法であって、
被検体の目を少なくとも部分的に囲むように適当な位置に１又は複数の照明モジュールを保持するステップであって、前記１又は複数の照明モジュールの適当な位置における前記保持が、被検体の顔面に対する接着によって達成される、ステップと、
前記１又は複数の照明モジュールから被検体の目に電磁放射線を放出するステップと、
を含む方法。
【請求項７】
被検体の顔面に前記１又は複数の照明モジュールを接着するステップを更に含む、請求項６に記載の方法。
【請求項８】
予め決められた光治療アルゴリズムに従って、前記１又は複数の照明モジュールからの電磁放射線の放出を制御するステップを更に含む、請求項６に記載の方法。
【請求項９】
前記予め決められた光治療アルゴリズムの１又は複数の態様に関する情報を被検体に伝えるステップを更に含む、請求項８に記載の方法。
【請求項１０】
前記情報を伝える前記ステップは、前記１又は複数の照明モジュールの１つの少なくとも一部分を通じて、前記予め決められた光治療アルゴリズムの前記１又は複数の態様に関する情報を被検体に伝えることを含む、請求項９に記載の方法。
【請求項１１】
被検体に光治療を提供するシステムであって、
被検体の目を少なくとも部分的に囲むように適当な位置に１又は複数の照明モジュールを保持する手段であって、前記１又は複数の照明モジュールの適当な位置における前記保持が、被検体の顔面に対する接着によって達成される、手段と、
前記１又は複数の照明モジュールから被検体の目に電磁放射線を放出する手段と、
を有するシステム。
【請求項１２】
被検体の顔面に前記１又は複数の照明モジュールを接着する手段を更に有する、請求項１１に記載のシステム。
【請求項１３】
予め決められた光治療アルゴリズムに従って、前記１又は複数の照明モジュールからの電磁放射線の放出を制御する手段を更に有する、請求項１１に記載のシステム。
【請求項１４】
前記予め決められた光治療アルゴリズムの１又は複数の態様に関する情報を被検体に伝える手段を更に有する、請求項１３に記載のシステム。
【請求項１５】
前記情報を伝える前記手段は、前記１又は複数の照明モジュールの１つの少なくとも一部分を通じて、前記予め決められた光治療アルゴリズムの１又は複数の態様に関する情報を被検体に伝える手段を有する、請求項１４に記載のシステム。
【発明の詳細な説明】
【技術分野】
【０００１】
本願は、35U.S.C.§119(e)の下、２００９年２月１２日出願の米国特許仮出願第61/152,028号の優先権の利益を主張し、その出願の内容は、参照によって本願明細書に盛り込まれるものとする。
【背景技術】
【０００２】
本願は、２００８年１２月３０日出願の「SYSTEM AND METHOD FOR PROVIDING LIGHT THERAPY TO A SUBJECT」というタイトルの米国特許出願シリアル番号第61/141,273号、２００８年１２月３０日出願の「SYSTEM AND METHOD FOR PROVIDING LIGHT THERAPY TO A SUBJECT」というタイトルの米国特許出願シリアル番号第61/141,274号、２００８年１２月３０日出願の「SYSTEM AND METHOD FOR ADMINISTERING LIGHT THERAPY」というタイトルの米国特許出願シリアル番号第61/141,289号、２００８年１２月３０日出願の「SYSTEM AND METHOD FOR ADMINISTERING LIGHT THERAPY」というタイトルの米国特許出願シリアル番号第61/141,292号、２００８年１２月３０日出願の「SYSTEM AND METHOD FOR ADMINISTERING LIGHT THERAPY」というタイトルの米国特許出願シリアル番号第61/141,295号に関し、これらの出願の内容は、全体として、参照によって本願明細書に盛り込まれるものとする。
【０００３】
本発明は、被検体に光治療を提供するように構成される装置に関する。
【０００４】
概日リズムに影響を与え、及び／又は被検体の光欠乏性疾患に対処するために、被検体に放射線を向けることが知られている。概して、これらの処置は、季節性情動障害（Seasonal Affective Disorder、SAD）、概日睡眠障害、並びに時差ボケ及び交代制勤務と関連する概日破壊を含む光欠乏性疾患を軽減し又は治癒するために、患者が覚醒している間に直接患者の目に向けて光を照射することを含む。
【発明の概要】
【発明が解決しようとする課題】
【０００５】
現在利用可能な２つのタイプの光治療装置がある。１つのタイプの装置は、サイズが大きく、床面又は机上に取り付けられる。これらの装置は、蛍光バルブ又は発光ダイオードの大きなアレイの光源を含む。それらは、１つの位置から他の位置に移動されることができるが、それらは、一般に携帯可能ではなく、その日の活動部分の間は静止しているスケジュールされた時間期間を必要とする。加えて、光源は、非常に壊れやすい。第２の種類の光治療装置は、頭部に装着可能なものである。これらの装置は、眼鏡又は日よけ（visors）として形成される。それらは携帯可能であるが、頭部に装着される際のそれらの風変わりな外観のため及び／又は毎日の活動に対するそれらの邪魔のため、公の場で使用するには、患者によって一般には受け入れられない。
【課題を解決するための手段】
【０００６】
本発明の１つの見地は、被検体に光治療を提供するように構成される光治療装置に関する。一実施形態において、装置は、１又は複数の照明モジュール及び１又は複数の接着性表面を含む。１又は複数の照明モジュールは、被検体の目を少なくとも部分的に囲むとともに、電磁放射線を放出するように構成される。１又は複数の接着性表面は、被検体の目を囲む適当な位置に１又は複数の照明モジュールを保持するように構成される。
【０００７】
本発明の別の見地は、被検体に光治療を提供する方法に関する。一実施形態において、方法は、被検体の目を少なくとも部分的に囲むように、適当な位置に１又は複数の照明モジュールを保持するステップであって、１又は複数の照明モジュールの適当な位置における保持が、被検体の顔面に対する接着によって達成される、ステップと、１又は複数の照明モジュールから被検体の目に電磁放射線を放出するステップと、を含む。
【０００８】
本発明の別の見地は、被検体に光治療を提供するように構成されるシステムに関する。一実施形態において、システムは、被検体の目を少なくとも部分的に囲むように、適当な位置に１又は複数の照明モジュールを保持する手段であって、１又は複数の照明モジュールの適当な位置における保持が、被検体の顔面に対する接着によって達成される、手段と、１又は複数の照明モジュールから被検体の目に電磁放射線を放出する手段と、を有する。
【０００９】
本発明のこれらの及び他の目的、特徴及び特性、構造の関連する要素の動作方法及び機能、並びに各部分及び生産の経済の連係は、添付の図面を参照して以下の記述及び添付の請求項の考察により一層明らかになり、それらの全てが、この明細書の一部を形成する。同様の参照数字は、さまざまな図面において対応する部分を示す。本発明の一実施形態において、ここに図示される構造的要素が、一定の縮尺で描かれている。しかしながら、図面は、図示及び説明のみを目的とするものであり、本発明を制限するものではないことが明白に理解されることができる。更に、ここで任意の一実施形態において図示され又は記述される構造的特徴は、他の実施形態においても同様に使用されることができることが理解されるべきである。しかしながら、図面は、図示及び説明のみを目的としており、本発明の範囲の規定を意図するものではないことが明白に理解されるべきである。明細書及び請求項において使用されるとき、「a」、「an」及び「the」の単数形は、文脈が他の場合を明確に示さない限り、複数の指示物を含む。
【図面の簡単な説明】
【００１０】
【図１】本発明の１又は複数の実施形態による光治療装置を示す図。
【図２】本発明の１又は複数の実施形態による光治療装置を示す図。
【図３】本発明の１又は複数の実施形態による光治療装置を示す図。
【図４】本発明の１又は複数の実施形態による光治療装置を示す図。
【図５】本発明の１又は複数の実施形態による、被検体に光治療を提供する方法を示す図。
【発明を実施するための形態】
【００１１】
図１は、本発明の一実施形態による光治療装置１０を示す。光治療装置１０は、被検体１２に光治療を提供するように構成される。光治療は、予め決められた光治療アルゴリズムに従って、光治療装置１０によって被検体１２の顔面に放出される電磁放射線の形で、被検体１２に供給される。予め決められた光治療アルゴリズムは、電磁放射線の放出のさまざまな態様を指示することができる。例えば、予め決められた光治療アルゴリズムは、１又は複数のタイミング、持続時間、強度、入射エリア、放出波長及び／又は光治療装置１０による電磁放射線の放出の他の態様を指示することができる。光治療装置１０は、被検体１２による使用を容易にするフォームファクタを有するように構成される。より具体的には、光治療装置１０のフォームファクタは、被検体１２が覚醒している間及び／又は眠っている間、光治療装置１０が個別的に及び快適に使用されることを可能にする。一実施形態において、光治療装置１０は、１又は複数の照明モジュール１４及び基部１６を有する。
【００１２】
一実施形態において、照明モジュール１４は、基部１６から遠位端１８まで延在する長形部材として形成される。照明モジュール１４は、相対的に可撓性の材料から形成されることができ、これは、被検体１２が基部１６と遠位端１８との間の照明モジュール１４の形状をカスタマイズすることを可能にする。例えば、被検体１２は、照明モジュール１４が目の眼窩上又はちょうど眼窩内に位置するように、照明モジュール１４の形状を被検体１２の目の形状に適合させることができる。一実施形態において、照明モジュール１４は、相対的に剛性材料から形成され、これは、照明モジュール１４の形状のカスタマイゼーションを可能にしない。
【００１３】
図１及び図２において分かるように、前側（例えば使用中、被検体１２から外を向く側）で、照明モジュール１４は、不透明でありうる。照明モジュール１４の前側の不透明さは、被検体１２が覚醒している間、被検体１２と対話する人々に対する光治療装置１０の視覚的なおしつけがましさを低下させるとともに、被検体１２と同じ部屋及び／又はベッドに眠る人々に対する光治療装置１０のおしつけがましさを低下させるのに役立つ。一実施形態において、照明モジュール１４の前側は、例えば肌色のトーンのような抑えられたトーンである。
【００１４】
図３において分かるように、照明モジュール１４の後側（例えば使用中、被検体１２に面する側）は、照明モジュール１４内で生成される電磁放射線が被検体１２の顔／目に送られることを可能にするように、透明であり又は少なくとも半透明である。一実施形態において、照明モジュール１４はその中に複数の放射線源２０を保持する。放射線源２０は、１又は複数の有機発光ダイオード（「ＯＬＥＤ」）、レーザ（例えばダイオードレーザ又は他のレーザ源）、ＬＥＤ、指向される周囲放射線及び／又は他の電磁放射線源を含むことができる。１つの実現例において、放射線源２０は、１又は複数のＬＥＤを有する。本発明は、決してＬＥＤの使用に制限されないが、放射線源２０としてＬＥＤを実現する利点は、それらの軽量さ、コンパクト性、低消費電力、低電圧要求、低い熱発生量、信頼性、丈夫さ、相対的に低い費用及び安定性を含む。更に、それらは、非常にすばやく、信頼性をもって及び再現可能に、オン／オフを切り替えられることができる。
【００１５】
放射線源２０は、照明モジュール１４内に位置付けられることができ、従って、光治療装置１０が、照明モジュール１４が被検体１２の目を少なくとも部分的に囲むようにして、被検体１２の顔面上に取り付けられると、放射線源２０から放出される電磁放射線は、被検体１２の目に及び／又はその周囲に入射することになる。一実施形態において、これは、電磁放射線が、放射線源２０によって、被検体１２の目に向けて直接放出されるように、照明モジュール１４内に放射線源２０を配置することを含む。一実施形態において、放射線源２０によって放出される電磁放射線の一部分又は全てが、被検体１２に向けて直接放出されるわけではない。この実施形態では、光学素子が、放射線源２０によって放出される電磁放射線を（例えば反射、屈折、回折等を通じて）ユーザの目から離れるほうに向けるために、照明モジュール１４内に配置され及び／又は形成される。
【００１６】
一実施形態（図示せず）において、放射線源２０は、基部１６から遠位端１８まで照明モジュール１４に沿って配置されない。代わりに、放射線源２０は、基部１６に向かって及び／又は基部１６内に主として配置される。この実施形態において、照明モジュール１４は、電磁放射線が照明モジュール１４から被検体１２の目に放出される前に、基部１６において又はその近傍で放射線源２０によって放出される電磁放射線の一部分を、照明モジュール１４に沿って遠位端１８の方へ向ける導波路として形成される。
【００１７】
一実施形態において、基部１６は、光治療装置１０のさまざまな構成要素を収容するハウジングを形成する。例えば、後述されるように、基部１６は、プロセッサ及び／又は電力源の一方又は両方を収容することができる。図１−図３に示される実施形態において、基部１６は、照明モジュール１４がそこから延びる構造上の結合部である。しかしながら、これは、制限することを意図しない。一実施形態において、基部１６は、構造的に別個のものであってもよく、例えば基部１６と照明モジュール１４との間の有線綱を介して、照明モジュール１４と電子的に通信することができる。
【００１８】
図１に戻って、光治療装置１０は、照明モジュール１４が被検体１２の目を少なくとも部分的に囲むように、被検体１２の顔面上に取り付けられるように構成される。一実施形態において、照明モジュール１４は、目の眼窩上又はちょうど眼窩内に位置する。被検体１２の顔面上の適当な位置に光治療装置１０を保持するために、光治療装置１０は、被検体１２の顔面に取り外し可能に付着するように構成される１又は複数の接着性表面を有する。１又は複数の接着性表面は、照明モジュール１４、基部１６、又は照明モジュール１４及び基部１６の後側に形成されることができる。１又は複数の接着性表面によって提供される接着性は、起きている時間の間及び／又は睡眠の間、光治療装置１０を適当な位置にしっかり固定するのに十分強力であるべきである。一実施形態において、１又は複数の接着性表面は、照明モジュール１４及び／又は基部１６の１又は複数の表面に医療グレードの接着剤を適用することによって、形成される。
【００１９】
一実施形態において、図１−図３に示される光治療装置１０は、使い捨て可能である。例えば、被検体１２の顔面上の適当な位置に照明モジュール１４及び／又は基部１６を保持するために使用される接着性は、限られた数の使用（例えば１回）を意図するものでありえ、この数の使用に達すると、被検体１２は、光治療装置１０を廃棄することができ、次の治療セッションのために新しい装置１０を利用することができる。一実施形態において、光治療装置１０の一部分だけが、使い捨て可能である。例えば、照明モジュール１４は、取り外し可能に基部１６と接続されることができ、それゆえ、限られた数（例えば１回）の使用後、被検体１２は、使用された照明モジュール１４を分離し、次の光治療セッションのために、照明モジュール１４の新しい組を基部１６に接続することができる。
【００２０】
図１−図３に示される照明モジュール１４の数及び／又は被検体１２の目に対するそれらの位置は、制限することを意図しないことが理解されるであろう。他の実施形態において、光治療装置１０は、異なる数（例えば１つ）の照明モジュール１４を含むことができる。更に、照明モジュール１４は、図１−図３に示される実施形態よりも被検体１２の目を多く又は少なく囲むこともできる。
【００２１】
図４は、本発明の一実施形態による光治療装置１０の概略的な図である。図４に示される実施形態において、光治療装置１０は、照明モジュール１４及び基部１６に加えて、電子ストレージ２２、ユーザインタフェース２４及びプロセッサ２６を有する。電子ストレージ２２、ユーザインタフェース２４及び／又はプロセッサ２６は、基部１６内に収容されることができる。
【００２２】
一実施形態において、電子ストレージ２２は、情報を電子的に記憶する電子記憶媒体を含む。電子ストレージ２２の電子記憶媒体は、光治療装置１０と一体的に設けられる（すなわち実質的に取り外し不可能な）システムストレージ、及び／又は例えばポート（例えばＵＳＢポート、Ｆｉｒｅｗｉｒｅポート等）又はドライブ（例えばディスクドライブ等）を介して光治療装置１０に取り外し可能に接続できる取り外し可能なストレージ、の一方又は両方を含むことができる。電子ストレージ２２は、光学可読記憶媒体（例えば光ディスク等）、磁気可読記憶媒体（例えば磁気テープ、磁気ハードドライブ、フロッピードライブ等）、電荷を利用する記憶媒体（例えばＥＥＰＲＯＭ、ＲＡＭ等）、ソリッドステート記憶媒体（例えばフラッシュドライブ等）、及び／又は他の電子可読記憶媒体の１又は複数を含むことができる。電子ストレージ２２は、ソフトウェアアルゴリズム、プロセッサ２６によって決定される情報、ユーザインタフェース２４を介して受け取られる情報、及び／又は光治療装置１０が適切に機能することを可能にする他の情報、を記憶することができる。電子ストレージ２２は、光治療装置１０内に別個のコンポーネントとして提供される媒体を含むことができる。電子ストレージ２２は、光治療装置１０（例えばプロセッサ２６）の１又は複数の他のコンポーネントと一体的に設けられる媒体を含むことができる。
【００２３】
ユーザインタフェース２４は、光治療装置１０と被検体（及び／又は介護者）との間のインタフェースを提供するように構成され、かかるインタフェースを通じて、被検体（及び／又は介護者）は、光治療装置１０に情報を供給することができ、そこから情報を受け取ることができる。これは、集合的に「情報」と呼ばれるデータ、結果、及び／又は命令及び任意の他の通信可能アイテムが、被検体とプロセッサ２６との間で通信されることを可能にする。ユーザインタフェース２４に含めるのに適したインタフェース装置の例は、キーパッド、ボタン、スイッチ、キーボード、ノブ、タブ、レバー、表示スクリーン、タッチスクリーン、スピーカ、マイクロフォン、インジケータ光、可聴アラーム及び／又はプリンタを含む。一実施形態において、ユーザインタフェース２４は、被検体１２が覚醒している及び／又は眠っている間の使用のために、光治療装置１０の設計に合わせて視覚的に控え目に（例えば小さく）設計される。一実施形態において、ユーザインタフェース２４は、被検体１２に情報を伝えるように選択的に照明されることができる照明モジュール１４の１又は複数の部分を含む。例えば、１又は複数の部分によって放出される電磁放射線の波長、照明のタイミング（例えばフラッシング）、及び／又は照明モジュール１４の選択的に照明される部分によって放出される電磁放射線の他のパラメータがある。
【００２４】
有線又はワイヤレスの他の通信技法もまた、ユーザインタフェース２４として本発明によって企図されることが理解されるべきである。例えば、本発明は、ユーザインタフェース２４が電子ストレージ２２によって提供される取り外し可能なストレージインタフェースと一体化されることができることを企図する。この例において、情報は、取り外し可能なストレージ（例えばスマートカード、フラッシュドライブ、リムーバブルディスク等）から、光治療装置１０にロードされることができ、これは、（複数の）ユーザが光治療装置１０の実現をカスタマイズすることを可能にする。ユーザインタフェース２４として光治療装置１０と共に使用されるように適応される他の例示の入力装置及び技法は、非制限的であるが、ＲＳ−２３２ポート、ＲＦリンク、ＩＲリンク、モデム（電話、ケーブル又はその他）を含む。要するに、光治療装置１０と情報を通信するための任意の技法が、ユーザインタフェース２４として本発明によって企図される。
【００２５】
プロセッサ２６は、光治療装置１０に情報処理及び／又はシステム制御能力を提供するように構成される。従って、プロセッサ２６は、デジタルプロセッサ、アナログプロセッサ、情報を処理するように設計されるデジタル回路、アナログ回路、ステートマシン、及び／又は電子的に情報を処理し及び／又はシステムコンポーネントを制御するための他の機構を含むことができる。ここでのプロセッサ２６に起因する機能を提供するために、プロセッサ２６は、１又は複数のモジュールを実行することができる。１又は複数のモジュールは、ソフトウェア；ハードウェア；ファームウェア；ソフトウェア、ハードウェア及び／又はファームウェアの組み合わせ；及び／又は実現される別のやり方で実現されることができる。プロセッサ２６は、単一のエンティティとして図４に示されているが、これは説明することのみを目的とする。幾つかの実現例において、プロセッサ２６は、複数の処理ユニットを含むことができる。これらの処理ユニットは、同じ装置（例えば光治療装置１０）内に物理的に位置することができ、又はプロセッサ２６が、協調して動作する複数の装置の処理機能を表すことができる。
【００２６】
一実施形態において、プロセッサ２６は、予め決められた光治療アルゴリズムに従って照明モジュール１４を制御する。予め決められた光治療アルゴリズムは、タイミング（例えば治療中に供給されるフラッシュライト、治療の開始等のタイミング）、持続時間、強度、入射位置、波長、及び／又は被検体１２の目の上又は目の周囲で照明モジュール１４によって被検体１２の顔に向けて放出される電磁放射線の他の態様を指示することができる。一実施形態において、予め決められた光治療アルゴリズムが、電子ストレージ２２に記憶され、照明モジュール１４の制御を介して実行のためにプロセッサ２６に提供される。ある例において、予め決められた光治療アルゴリズムの１又は複数の態様が、被検体に合わせて調整され又はカスタマイズされることができる。予め決められた光治療アルゴリズムの調整及び／又はカスタマイゼーションは、ユーザインタフェース２４を介して光治療装置１０に入力されることができる。一実施形態において、電子ストレージ２２は、複数の異なる予め決められた光治療アルゴリズムを記憶し、被検体（及び／又は介護者）は、ユーザインタフェース２４を介して、被検体１２にとって適当である予め決められた光治療アルゴリズムを選択する。
【００２７】
上述されたように、一実施形態において、予め決められた光治療アルゴリズムは、光治療装置１０による被検体への放射線の投与のタイミングを指示することができる。従って、本実施形態において、プロセッサ２６はクロックを含む。クロックは、所与のイベントからの経過時間をモニタリングし及び／又は時刻をモニタすることができる。被検体１２（及び／又は介護者）は、例えばユーザインタフェース２４を介して、プロセッサ２６のクロックによって生成される時刻を補正することを可能にされることができる。例えば、予め決められた光治療アルゴリズムは、特定のイベントから予め決められた時間に被検体１２への電磁放射線の供給の開始を指示することができる。例えば、被検体１２の睡眠パターンを時間的に進むほうにシフトさせる（例えばもっと遅く起床する）ために、予め決められた光治療アルゴリズムは、被検体１２が寝入った３時間後に電磁放射線の供給の開始を指示することができる。このタイミングを達成するために、プロセッサ２６は、被検体１２がベッドに入るときに（例えばユーザインタフェース２４を介して）被検体１２によって入力されるトリガ入力の後、被検体１２の顔に電磁放射線を供給するように照明モジュール１４を制御することができる。ある例において、被検体１２の睡眠パターンを時間的に戻るほうにシフトする（例えばもっと早く起床する）ために、予め決められた光治療アルゴリズムは、被検体１２が寝入ってから４．５時間後に被検体１２への電磁放射線の供給を指示することができる。
【００２８】
一実施形態において、治療の間、プロセッサ２６は、予め決められた光治療アルゴリズムの１又は複数の態様に関して被検体１２に情報を提供するように、ユーザインタフェース２４を制御する。非限定的な例において、ユーザインタフェース２４が照明モジュール１４の１又は複数のセクションを含む場合、プロセッサ２６は、被検体１２に情報を伝えるように、１又は複数のセクションを照明する放射線源を選択的に活性化するように、照明モジュール１４を制御する。例えば、プロセッサ２６は、被検体１２の目に電磁放射線を供給するために、照明モジュール１４の活性化の前にフラッシュするように上部照明モジュール１４の遠位端１８を向くセクションを制御することができる。この警告は、被検体１２に、照明モジュール１４から電磁放射線を受け取るための準備をさせることができる。ある例において、プロセッサ２６は、被検体１２が予め決められた光治療アルゴリズムに対する変更を入力するとフラッシュするように、照明モジュール１４の１又は複数のセクションを制御することができる。照明モジュール１４のフラッシングは、予め決められた光治療アルゴリズムに対して行われる変更が、被検体１２が行うことを意図する変更であるかどうかに関して、被検体１２にフィードバックを供給することができる。
【００２９】
図５は、本発明の一実施形態による、被検体に光治療を提供する方法２８を示す。後述される方法２８の処理は、説明的であることを意図する。ある実施形態において、方法２８は、記述されない１又は複数の付加の処理によって、及び／又は記述された処理の１つ又は複数を用いずに、達成されることができる。加えて、方法２８の処理が図５に示され後述される順序は、制限することを意図しない。
【００３０】
処理３０において、１又は複数の照明モジュールが、被検体の顔面上に保持される。１又は複数の照明モジュールは、被検体の目を少なくとも部分的に囲み、被検体の顔面上に保持されることができる。例えば、１又は複数の照明モジュールは、被検体の顔面の眼窩上又は眼窩内に接着されることができる。一実施形態において、処理３０は、（図１−図４に示され上述された）照明モジュール１４及び／又は基部１６上に形成される１又は複数の接着性表面と同じ又は同様の１又は複数の接着性表面によって実施される。
【００３１】
処理３２において、電磁放射線は、１又は複数の照明モジュールから被検体の目に放出される。一実施形態において、処理３２は、（図１−図４に示され上述された）照明モジュール１４と同じ又は同様の１又は複数の照明モジュールによって実施される。
【００３２】
処理３４において、１又は複数の照明モジュールからの電磁放射線の放出は、予め決められた光治療アルゴリズムに従って制御される。一実施形態において、処理３４は、（図１−図４に示され上述された）プロセッサ２６と同じ又は同様のプロセッサによって実施される。
【００３３】
処理３６において、予め決められた光治療アルゴリズムの１又は複数の態様に関する情報が、被検体に伝えられる。一実施形態において、処理３６は、（図１−図４に示され上述された）ユーザインタフェース２４と同じ又は同様のユーザインタフェースによって実施される。
【００３４】
処理３８において、ユーザは、予め決められた光治療アルゴリズムの１又は複数の態様を選択的に構成することが可能にされる。一実施形態において、処理３８は、（図１−図４に示され上述された）ユーザインタフェース２４と同じ又は同様のユーザインタフェースによって実施される。
【００３５】
本発明は、最も実際的で好適な実施形態であると現在考えられるものに基づいて、説明の目的で詳細に記述されたが、そのような詳細は、単に説明することのみを目的とし、本発明は、開示された実施形態に制限されず、逆に、添付の請求項の精神及び範囲内にある変更及び等価な構成をカバーすることを意図することが理解されるべきである。例えば、本発明は、可能な限り、任意の実施形態の１又は複数の特徴が他の実施形態の１又は複数の特徴と組み合わせられることができることを企図することが理解されるべきである。
【図１】
2012517311.tif 000003
【図２】
2012517311.tif 000004
【図３】
2012517311.tif 000005
【図４】
2012517311.tif 000006
【図５】
2012517311.tif 000007
【国際調査報告】
2012517311.tif 000008
2012517311.tif 000009
2012517311.tif 000010